(57)【要約】【課題】配線作業やメンテナンス時等に施錠構造の一部をいちいち取り外したりする必要のない作業性に優れた配線箱を提供する。【解決手段】本体に、所定の間隔を有して一対の壁片１２ａ、１２ａを並設してなる係止金具１２を固着し、壁片１２ａに係止孔１２ｂを設ける一方、蓋体に、外部からの操作により回転する軸部を設けるとともに、係止孔１２ｂに係脱可能な係止部１１ａを両端部に設けてなる板状の係止片１１を、軸部の回転に同期して回転するよう軸部に取り付け、蓋体の本体への装着時には、係止片１１が壁片１２ａ、１２ａ間に位置し、該係止片１１の回転動作に伴い各係止部１１ａが係止孔１２ｂに係脱して施錠／解錠となる施錠構造を備えた。【選択図】図２
2009005526.tif 000002
【特許請求の範囲】
【請求項１】
本体と、該本体に装着する蓋体とを備え、内部にてケーブルを分岐したり引き回したりする配線箱であって、
前記本体に、所定の間隔を有して一対の壁片を並設してなる係止金具を固着し、前記壁片に被係止部を設ける一方、
前記蓋体に、外部からの操作により回転する軸部を設けるとともに、前記被係止部に係脱可能な係止部を両端部に設けてなる板状の係止片を、前記軸部の回転に同期して回転するよう前記軸部に取り付け、
前記蓋体の前記本体への装着時には、前記係止片が前記壁片間に位置し、該係止片の回転動作に伴って前記係止部が前記被係止部に係脱することにより施錠／解錠となる施錠構造を備えた配線箱。
【請求項２】
係止金具を、本体の一方端部に取り付けられたケーブル固定具と前記本体の他方端部に取り付けられたケーブル固定具との間に固着し、両ケーブル固定具を用いてケーブルを固定した際、該ケーブルが係止金具の壁片間を通過することを特徴とする請求項１に記載の配線箱。
【発明の詳細な説明】
【技術分野】
【０００１】
本発明は、たとえば光成端箱等の配線箱、特に施錠装置を有する配線箱に関するものである。
【背景技術】
【０００２】
従来、たとえば電気機器を収納するための電気機器収納箱では、蓋体を本体への取り付け状態で維持するための施錠構造として、特許文献１に示すような構造が採用されている。そして、該構造と類似する施錠構造が、図４に示す如く、光成端箱等の配線箱においても採用されている。
【０００３】
【特許文献１】特開平１０−１３５６５６号公報
【０００４】
ここで、従来の配線箱における施錠構造について説明する。図４は、従来の配線箱における施錠構造を示した斜視説明図である。
配線箱５１は、背板の上下端縁から天板及び底板が前方へ突設され、前面及び左右側面に開口を有するコ字状の本体５２と、本体５２の前面及び左右側面開口を閉塞可能なコ字状の蓋体５３とからなる。本体５２の背板前面には、光ケーブル等の配線を引き回したり固定したりするための種々の配線用器具５４、５４・・が取り付けられている。また、本体５２には、左右方向へ長い帯状体に形成された施錠用金具５５が本体５２の略中央前方（配線用器具５４、５４・・の前方）を左右方向へ横断するようにネジ止めされており、該施錠用金具５５の所定位置には係止孔５５ａが開設されている。さらに、本体５２の側面には、蓋体５３を固定するための固定孔５９、５９・・が穿設されている。
【０００５】
一方、蓋体５３は、その左右両側端に丸孔５７、５７・・を有しており、各丸孔５７と本体５２の固定孔５９とをあわせた状態で両孔へラッチ５８を差し込むことにより、本体５２へ取り付け可能となっている。また、蓋体５３の所定位置（本体５２への取り付け状態において係止孔５５ａと対応する位置）には、施錠装置５６が備えられている。該施錠装置５６は、後方へ突出する軸部（図示せず）を有しており、該軸部の後端に係止片５６ａが固着されている。該係止片５６ａは、所定の姿勢においてのみ係止孔５５ａ内を挿通可能となっており、該所定の姿勢から軸部とともに回転すると係止孔５５ａの周囲により抜け止めされるようになっている。そして、該施錠装置５６では、キーを差し込む等して回動操作すると、前後方向を軸として軸部が回転し、係止孔５５ａ内を挿通した状態で施錠用金具５５よりも後方に位置する係止片５６ａも軸部とともに回転して抜け止めされ、施錠となる。
【発明の開示】
【発明が解決しようとする課題】
【０００６】
しかしながら、従来の配線箱５１では、配線作業時やメンテナンス時等に施錠用金具５５が邪魔となるため、その都度施錠用金具５５を取り外さなければならず、該取り外し作業やメンテナンス後等の再取付作業が煩わしいという問題があった。
【０００７】
そこで、本発明は、上記問題に鑑みなされたものであって、配線作業やメンテナンス時等に施錠構造の一部をいちいち取り外したりする必要のない作業性に優れた配線箱を提供しようとするものである。
【課題を解決するための手段】
【０００８】
上記目的を達成するために、本発明のうち請求項１に記載の発明は、本体と、該本体に装着する蓋体とを備え、内部にてケーブルを分岐したり引き回したりする配線箱であって、前記本体に、所定の間隔を有して一対の壁片を並設してなる係止金具を固着し、前記壁片に被係止部を設ける一方、前記蓋体に、外部からの操作により回転する軸部を設けるとともに、前記被係止部に係脱可能な係止部を両端部に設けてなる板状の係止片を、前記軸部の回転に同期して回転するよう前記軸部に取り付け、前記蓋体の前記本体への装着時には、前記係止片が前記壁片間に位置し、該係止片の回転動作に伴って前記係止部が前記被係止部に係脱することにより施錠／解錠となる施錠構造を備えたことを特徴とする。
請求項２に記載の発明は、請求項１に記載の発明において、係止金具を、本体の一方端部に取り付けられたケーブル固定具と前記本体の他方端部に取り付けられたケーブル固定具との間に固着し、両ケーブル固定具を用いてケーブルを固定した際、該ケーブルが係止金具の壁片間を通過することを特徴とする。
【発明の効果】
【０００９】
本発明によれば、係止金具を、所定の間隔を有して一対の壁片を並設してなり、壁片に被係止部を設けたものとする一方、係止片を、被係止部に係脱可能な係止部を両端部に設けてなる板状として、蓋体の本体への装着時に、係止片が壁片間に位置し、該係止片の回転動作に伴って係止部が被係止部に係脱することにより施錠／解錠となる施錠構造を備えている。そのため、従来の配線箱のように、係止金具が配線用器具の前方を横断するようなことがなく、配線作業やメンテナンス作業時に邪魔とならない。したがって、作業する度に係止金具を着脱したりする必要がなく、使い勝手がよい。さらに、各壁片に被係止部を設けて、係止片の２箇所を係止するようにしているため、係止強度が高く、確実に施錠状態を維持することができる。
また、請求項２に記載の発明によれば、係止金具を、本体の一方端部に取り付けられたケーブル固定具と他方端部に取り付けられたケーブル固定具との間に固着し、両ケーブル固定具を用いてケーブルを固定した際、該ケーブルが係止金具の壁片間を通過するようにしている。したがって、ケーブル等の設置スペース内に係止金具を設ける構成ではあるものの、壁片間をケーブル設置用スペース等として利用することができ、スペースの有効利用化、ひいては光成端箱のコンパクト化を図ることができる。
【発明を実施するための最良の形態】
【００１０】
以下、本発明の一実施形態となる配線箱について図面をもとに説明する。尚、本実施形態では、配線箱の一実施形態である光成端箱について説明する。
【００１１】
図１は、光成端箱１の本体２と蓋体３とを取り外し状態にて示した斜視説明図である。また、図２は、光成端箱１の施錠構造について示した説明図であり、（ａ）は係止片１１、（ｂ）は係止金具１２、（ｃ）は施錠状態にある施錠装置１０を夫々示している。さらに、図３は、施錠装置１０による施錠動作を示した説明図である。
【００１２】
光成端箱１は、基台となる本体２と、該本体２の前方を覆うように本体２に装着される蓋体３とからなるもので、本体２は上下方向へ長く成形されており、その上端部及び下端部には、幹線光ケーブル４を固定するためのケーブル固定具５、５が取り付けられている。そして、光成端箱１の略中央位置で上下のケーブル固定具５、５間には、後述する施錠装置１０の係止片１１が係脱する係止金具１２がネジ止めされている。係止金具１２は、ネジ止め部を有する固着片の両端に一対の壁片１２ａ、１２ａを並設してなるコ字状部材であって、一対の壁片１２ａ、１２ａを相対的に上下方向へずらして設け、全体として点対称形状としている。そして、該係止金具１２は、その固着片の中心が上下のケーブル固定具５、５の左右方向での中心同士を結んだ直線上に略位置し、ケーブル固定具５、５を用いて幹線光ケーブル４を固定した際に、一対の壁片１２ａ、１２ａが幹線光ケーブル４の左右から前方へ突出するような姿勢で（すなわち、壁片１２ａ、１２ａ間を幹線光ケーブル４が通過可能に）固着されている。また、各壁片１２ａの先端部には、後述する係止片１１の係止部１１ａが係止可能な係止孔（被係止部）１２ｂが開設されている。
尚、本体２前面には、分岐ケーブルを固定するための分岐ケーブル固定具６、６、幹線光ケーブル４と分岐光ケーブルとの光ファイバ芯線同士を接続した融着接続部を収納するための接続部位収納部材７等の配線用器具も取り付けられている。
【００１３】
一方、蓋体３は、後面に開口を有する箱状体であって、本体２への装着状態で係止金具１２に対応する位置に施錠装置１０が備えられている。施錠装置１０は、後方へ突出する軸部（図示せず）を有しており、該軸部の後端に、係止片１１が取り付けられている。係止片１１は、正面視Ｚ字状で、係止金具１２同様、点対称形状体であり、その両端部は係止孔１２ｂへ係止可能な係止部１１ａとなっている。尚、１１ｂは、軸部へ取り付けるための軸孔である。
【００１４】
そして、施錠装置１０は、上記係止片１１ａが係止金具１２の壁片１２ａ、１２ａ間に位置するように蓋体３に取り付けられており、解錠状態では、図３（ａ）に示す如く、係止部１１ａ、１１ａが上下に向き、係止金具１２に係止していない状態となっている。ここで、キーを差し込む等して回動操作すると、軸部が前後方向を軸として回転し、図３（ｂ）に示す如く係止片１１も軸部とともに回転して、各係止部１１ａが係止金具１２の係止孔１２ｂに係止し、施錠となる。また、施錠状態から解錠したい場合には、キーを差し込む等して施錠とは逆方向へ回動操作することにより、係止片１１が反施錠方向へ回転して、係止金具１２への係止が解除となる上記解錠状態に復帰し、解錠となる。
【００１５】
以上のような光成端箱１によれば、係止金具１２を、所定の間隔を有して並設された一対の壁片１２ａ、１２ａを有するコ字状に形成するとともに、該係止金具１２の壁片１２ａ、１２ａに係止孔１２ｂ、１２ｂを設け、正面視Ｚ字状の係止片１１を回転させて係止金具１２に係止／解除させることにより、施錠／解錠となる施錠構造を備えている。そのため、従来の光成端箱のように、係止金具１２が配線用器具の前方を横断するようなことがなく、配線作業やメンテナンス作業時に邪魔とならない。したがって、作業の度に係止金具１２を着脱する必要がなく、使い勝手がよい。
【００１６】
また、ケーブル等の設置スペース内に係止金具１２を設ける構成ではあるものの、係止金具１２をコ字状としているため、壁片１２ａ、１２ａ間をケーブル設置用スペース等として利用することができ、スペースの有効利用化、ひいては光成端箱のコンパクト化を図ることができる。
さらに、各壁片１２ａに係止孔を設けて、係止片１１の２箇所を係止するようにしているため、係止強度が高く、確実に施錠状態を維持することができる。加えて、係止片１１及び係止金具１２を点対称形状に形成しているため、係止片１１及び係止金具１２の取り付け時に、上下方向についてはその取り付け方向に拘りがない。したがって、係止片１１及び係止金具１２の取り付け作業を簡略化することができるといった効果もある。
【００１７】
なお、本発明の配線箱に係る構成は、上記実施形態に記載の態様に何ら限定されるものではなく、配線箱内部の構造、係止片及び係止金具の形状や設置位置等に係る構成を、本発明の趣旨を逸脱しない範囲で、必要に応じて適宜変更することができる。
【００１８】
たとえば、上記実施形態では、係止金具の壁片に係止孔を設け、該係止孔に係止片の端部を係止させる構成としているが、係止金具の壁片に切り欠き（被係止部）を形成し、該切り欠きに係止片の端部を係止させるようにしてもよいし、壁片をただの板状部とし、係止片の端部に係止のための切り欠きを設けるようにしてもよい（この場合、壁片の切り欠き係止位置が被係止部となり、係止片の切り欠きが係止部となる）。これらの構成を採用した場合には、係止金具の壁片を上下方向にずらして並設する必要はなく、対向するように立設することができる。
また、係止金具の設置位置も上記実施形態に記載の位置に何ら限定される必要はなく、配線箱の種類、内部構造等に応じて適宜変更することができる。さらに、言うまでもなく、本発明の配線箱は光成端箱に限定されない。
【図面の簡単な説明】
【００１９】
【図１】光成端箱の本体と蓋体とを取り外し状態にて示した斜視説明図である。
【図２】光成端箱の施錠構造について示した説明図であり、（ａ）は係止片、（ｂ）は係止金具、（ｃ）は施錠状態にある施錠装置を夫々示している。
【図３】施錠装置による施錠動作を示した説明図である。
【図４】従来の配線箱における施錠構造を示した斜視説明図である。
【符号の説明】
【００２０】
１・・光成端箱、２・・本体、３・・蓋体、４・・幹線光ケーブル、５・・ケーブル固定具、１０・・施錠装置、１１・・係止片、１１ａ・・係止部、１２・・係止金具、１２ａ・・壁片、１２ｂ・・係止孔。
【図１】
2009005526.tif 000003
【図２】
2009005526.tif 000004
【図３】
2009005526.tif 000005
【図４】
2009005526.tif 000006